(57)【要約】【課題】缶に加熱された飲料が収納されている場合にも、その缶を手で持つことができ、外観上の印刷適性が良好で、宣伝効果もあり、そして、比較的安いコストで製造が可能な断熱性缶を提供することにある。【解決手段】本発明は、缶本体と、該缶本体の胴部の外周に巻き付けられた熱収縮性発泡シートからなる外巻き部とで構成された断熱性缶であって、熱収縮前の熱収縮性発泡シートからなる底巻き部を前記缶本体に巻き付け、熱によって収縮させて、缶本体にタイトに密着して巻き付けたことを特徴とする断熱性缶である。【選択図】図１
2005153887.tif 000002
【特許請求の範囲】
【請求項１】
缶本体と、該缶本体の胴部の外周に巻き付けられた断熱部材からなる外巻き部とで構成された断熱性缶であって、熱収縮前の熱収縮性発泡シートからなる前記外巻き部を前記缶本体に巻き付け、熱によって収縮させて、前記缶本体に密着して装着したことを特徴とする断熱性缶。
【発明の詳細な説明】
【技術分野】
【０００１】
本発明は、各種茶類、コーヒー等の飲料用に用いられる缶に関し、特に、加熱した内容物の温度を遮断して手で持ちやすくした断熱性缶に関するものである。
【背景技術】
【０００２】
従来より、各種茶類、コーヒー等の飲料用に缶が広く使用されている。最近では、缶に内容物の飲料を入れたまま、自動販売機で加熱して飲むこと、あるいは、コンビニエンスストアで加熱した状態で購入することが広く行われており、その場合、直接には手で持ちにくいという問題がある。この問題を解決するために、断熱材料等を巻き付けた形態が提案されている（例えば、特許文献１参照。）。
【特許文献１】実開平６-４７１４４号公報
【発明の開示】
【発明が解決しようとする課題】
【０００３】
しかしながら、提案されている断熱材料をただ巻き付ける形態では、缶本体にタイトに密着して装着することが難しく、缶本体と外巻き部とがずれやすく、持ちにくく、さらには、脱落してしまう危険性もあるという問題がある。また、断熱材料等を巻き付ける加工の生産性が低く、コストが高くなるという問題がある。
【０００４】
本発明は、上記のような問題点に着目してなされたもので、缶に加熱された飲料が収納されている場合にもその缶を手で持つことができ、外観上の印刷効果もあり、そして、比較的安いコストで製造が可能な断熱性缶を提供することを目的とするものである。
【課題を解決するための手段】
【０００５】
上記のような課題を解決すべく検討した結果、本発明は、缶本体と、該缶本体の胴部の外周に巻き付けられた断熱部材からなる外巻き部とで構成された断熱性缶であって、熱収縮前の熱収縮性発泡シートからなる前記外巻き部を前記缶本体に巻き付け、熱によって収縮させて、前記缶本体に密着して装着したことを特徴とする断熱性缶である。
【発明の効果】
【０００６】
以上の構成からなる本発明の断熱性缶は、次のような効果を有する。
【０００７】
缶本体の外側に熱収縮性発泡シートからなる外巻き部が装着されていることにより、断熱性に優れ、内容物が加熱された飲料であっても缶を手で持つことができる。そして、外巻き部が缶本体にタイトに密着して装着されているので、缶本体と外巻き部とのずれがなく、持ち易く、かつ、脱落する危険性がなく安全である。
【０００８】
また、成形された缶本体に印刷するのではなく、外巻き部がシート状の段階で印刷するため、印刷工程が容易となり、かつ、熱収縮性発泡シートからなる外巻き部の表面は比較的平滑であり、細かい文字や写真等がきれいに印刷でき、美匠性に優れている。そして、外巻き部には、缶の内容物の絵柄、表示はもとより、缶の内容物と異なる商品、案内等を表示することができ、キャンペーン等宣伝効果を持たせることが出来る。
【０００９】
さらに、一般的な無地の缶を使用することができるので、絵柄等が異なるものについても共通して缶本体として利用でき、多品種小ロットの用途であっても比較的低コストで製造することができる。
【００１０】
さらにまた、缶本体と外巻き部とを接着剤で接着する必要がなく、分離が容易な形状とすることによって、消費者が分別廃棄を容易に行うことができ、缶本体を再生利用することができる。
【発明を実施するための最良の形態】
【００１１】
以下に、図面を参照しながら、本発明の実施の形態について詳しく説明する。本発明による断熱性缶１は、図１に示すように、缶本体２の胴部の外面側に熱収縮性発泡シートからなる外巻き部３を密着して装着した構成となっている。また、缶本体２としては、一般的な缶製造機を使用して作成することができる一般的な缶を使用することができる。
【００１２】
外巻き部３を巻き付ける位置は、図１−ａに示すように、缶本体２の胴部全体を覆うのが基本であるが、印刷表示すべき絵柄や文字等が少ない場合は、材料の削減のために、図１−ｂに示すように、胴部の一部、例えば、持ちやすいように上部付近を帯状に覆うようにして、その下部は外巻き部３が存在しない部分を設けるようにすることもできる。
【００１３】
本発明の断熱性缶１を構成する缶本体２の構造は、特に限定されるものではなく、２ピース缶、３ピース缶等であり、材料としては、特に限定されるものではないが、例えば、ブリキ、アルミニウム、ＴＦＳ（ティン・フリー・スチール）等をあげることができる。
【００１４】
そして、上記の樹脂を材料として、公知の缶製造機等により缶本体２を成形することができる。
【００１５】
本発明の断熱性缶１は、上記構成からなる缶本体２に、熱収縮性発泡シートからなる外巻き部３を巻き付け、加熱して収縮させ缶本体２に密着して装着したものである。
【００１６】
この外巻き部３に使用する熱収縮性発泡シートは、ポリエチレン樹脂、ポリスチレン樹脂、ポリプロピレン樹脂、ポリエチレンテレフタレート樹脂等を主材料とするシートを発泡させているものであり、熱収縮性を有している。
【００１７】
発泡の状態としては、独立気泡と連続気泡があるが、独立気泡の発泡構造が断熱性において優れており好ましい。製造方法としては、軟化させた樹脂に炭酸ガス、窒素ガス等のガスを押し出し機のスクリュー内に注入して混練し、押し出し時に発泡させるガス発泡により発泡シートを作製する方法、樹脂に重曹、クエン酸等の発泡材を入れ、スクリュー内で熱が加わることにより発泡シートを作製する方法等があるが、特に、限定されるものではない。また、発泡倍率についても、特に限定されるものではない。
【００１８】
本発明の断熱性缶１の外巻き部３に使用する熱収縮性発泡シートの厚さは、０．１〜５．０ｍｍの範囲が好適に使用することができ、０．１ｍｍ未満の場合には、断熱性の効果が小さく実用性に欠け、５．０ｍｍを超える場合には、表面への印刷等の加工適性に著しく欠けることになる。さらに、好ましくは、０．２〜１．０ｍｍの範囲である。
【００１９】
この熱収縮性発泡シートの熱収縮率は、断熱性缶１の横方向（外周方向）では３０〜７０％の範囲、縦方向（垂直方向）では３〜１０％の範囲が好ましく、横方向が３０％未満、縦方向が３％未満の場合には、缶本体２への密着性が弱く外巻き部３が缶本体２から脱着しやすくなり、横方向が７０％を超える場合、または、縦方向が１０％を超える場合には、加熱収縮後の印刷絵柄の変形が大きく実用性がなくなる。
【００２０】
上記熱収縮性発泡シートには、あらかじめ表面には、ウレタン系、アクリル系、ポリエステル系、アミド系、ニトロセルロース系等のインキを用いて印刷を施すことができる。この印刷は、グラビア印刷を主に、フレキソ印刷、オフセット印刷、シルクスクリーン印刷等公知の印刷方法により行うことができる。表面が平滑であることから、写真調の絵柄、細かい文字、バーコード等の印刷をおこなうことができる。
【００２１】
さらに、熱収縮性発泡シートの発泡層の表層に非発泡層を設けた構成にすることによって、表面の平滑性が高くなり、印刷効果の高い熱収縮性発泡シートとすることができる。また、熱収縮性発泡シートの発泡層の裏層にヒートシール層を設けた構成にすることによって、熱接着により筒状に貼り合わせることを可能にすることができる。
【００２２】
また、上記熱収縮性発泡シートを熱収縮させた時、印刷した絵柄等が変化するため、大きく変形する場合には、収縮率をあらかじめ考慮した絵柄を製版した印刷を行えばよい。
【００２３】
外巻き部３を缶本体１の外周に取り付けるには、まず、図２−ｂに示すように、熱収縮性発泡シートを打ち抜いて帯形のブランクを作成し、その所定形状に打ち抜いたブランクを、缶本体２の外側に巻き付け、ブランクの両縁部を貼り合わせて巻き付ける方法、あるいは、図２−ａに示すように、ブランクの両縁部を貼り合わせて筒状に形成し、缶本体２に被せる方法で缶本体２の外周に仮に固定する。これらの貼り合わせは、インパルスシール、超音波シール、高周波シール等により、あるいは、接着剤、溶剤を使用した接着により行うことができる。最後に、シュリンクトンネルを通す等、熱風により加熱して熱収縮性発泡シートからなる外巻き部３を収縮させて缶本体２に密着して巻き付けることができる。
【００２４】
また、外巻き部３には、外巻き部３と缶本体２とを分離し、分別して廃棄することを容易とするために、外巻き部３を破壊しやすいようにミシン目等による切り取り線Ｌを設けるようにしてもよい。例えば、図３に示すように、断熱性缶１の高さ方向に伸びる２条のミシン目を外巻き部３に設けることができる。
【００２５】
以上、本発明を実施例に基づいて具体的に説明したが、本発明は上記実施例に限られるものではなく、発明の主旨に反しない範囲において、種々の変更が可能である。例えば、缶本体の形状は四角柱形状等とすることもできる。
【実施例】
【００２６】
以下に、実施例をあげて本発明の断熱性缶についてさらに説明するが、本発明はこの実施例により限定されるものではない。
【００２７】
まず、熱収縮性発泡シートとして、厚みが０．３６ｍｍのポリスチレン樹脂を主材料とした商品名ラベック（積水化成品工業株式会社製）を使用し、表面にグラビア印刷で写真調の絵柄を印刷し、打ち抜き工程で、打ち抜いて帯形のブランクを作製し、このブランクの両縁部を貼り合わせて筒状の外巻き部を作製した。つぎに、この外巻き部をＴＦＳを材料とした３ピース缶１９０ｍｌ入りの缶本体の胴部の全周に被せ、加熱トンネル内で加熱し、収縮させて、缶本体に外巻き部をタイトに密着した状態で巻き付けて本発明の断熱性缶を作製した。
【００２８】
本発明の断熱性缶は、外巻き部に美粧性が高い印刷を行うことが可能であった。また、実際に、中の内容物の温度を約８５°Ｃに加熱して、実際に手で持って、外巻き部を巻き付けない缶と比較した結果、手に感じる熱さは著しく低くなり、持ちやすいものとなった。
【産業上の利用可能性】
【００２９】
本発明の断熱性缶は、各種茶類、コーヒー等の飲料を収容し、内容物を加熱した状態でも持てる缶の用途として使用することができる。
【図面の簡単な説明】
【００３０】
【図１】本発明による断熱性缶の実施の形態の一実施例を示す斜視図である。
【図２】本発明による断熱性缶の外巻き部を巻き付ける方法を説明する概略図である。
【図３】本発明による断熱性缶の外巻き部の切り取り線を設けた例を示す斜視図である。
【符号の説明】
【００３１】
１    断熱性缶
２    缶本体
３    外巻き部
Ｌ    切り取り線
【図１】
2005153887.tif 000003
【図２】
2005153887.tif 000004
【図３】
2005153887.tif 000005